(57)【特許請求の範囲】
【請求項１】
フレーム（１６）に摺動自在に取り付けられたラッチ（４８）用の解放ボタン（１８）と、挿入体タング（１２）用のイジェクター（３０）とを備えたシートベルトバックルにおいて、
前記バックル（１０）は、ハウジング（１４）とフレーム（１６）とを含んでおり、
解放ボタン（１８）は、前記フレーム（１６）上でシフト可能に案内され、
ランプ（２８）形状のディスロケーター（２７）が、前記フレーム（１６）から突出しており、
前記挿入体タング（１２）を放出するために、前記イジェクター（３０）は、フレーム（１６）に摺動自在に取り付けられており、
前記イジェクター（３０）は、一端がウェブ（３４）で互いに連結された二つの平行なアーム（３２）を含み、
前記イジェクター（３０）は、前記平行なアーム（３２）の間に設けられた少なくとも一つの連結エレメント（４０）を含み、
前記連結エレメント（４０）は、前記イジェクターと前記解放ボタンとの間を連結する作用位置と、前記イジェクターと前記解放ボタンとの間の連結を断つ休止位置との間で、撓んで移動可能となっており、
前記ディスロケーター（２７）は、前記イジェクターが所定位置から移動したときに、前記連結エレメントの位置を前記休止位置から前記作用位置にずらし、
それによって、前記イジェクターが所定位置から移動したときに、前記連結エレメント（４０）は前記ディスロケーター（２７）上を摺動する、ことを特徴とするシートベルトバックル。
【請求項２】
請求項１に記載のシートベルトバックル（１０）において、
前記連結エレメント（４０）は、ばね力によってその休止位置に押圧されている、ことを特徴とするシートベルトバックル（１０）。
【請求項３】
請求項１又は２に記載のシートベルトバックル（１０）において、
前記連結エレメント（４０）は、前記イジェクター（３０）に形成されたプッシャを含み、前記イジェクターが所定位置から移動したとき、前記ランプ形状のディスロケーター（２７）上で前記プッシャが摺動する、ことを特徴とするシートベルトバックル（１０）。
【請求項４】
請求項３に記載のシートベルトバックル（１０）において、
前記ディスロケーター（２７）の前記ランプ（２８）の長さは、前記イジェクター（３０）のシフト移動の終わりに前記プッシャが前記ランプから解放されてその休止位置に落ちて戻るように選択されている、ことを特徴とするシートベルトバックル（１０）。
【請求項５】
請求項１乃至４のいずれか１項に記載のシートベルトバックル（１０）において、
前記フレーム（１６）は、実質的に平行な二つのプレート（１６ａ、１６ｂ）を含み、
前記フレーム（１６）は、上プレート（１６ａ）及び下プレート（１６ｂ）をなす二つの平行なシート金属半部により空間が形成され、前側でＵ字形状ウェブ（２５）で接合されるように、中央でその長さ方向に対して横方向で上向きに曲げられており、
上プレート（１６ａ）では、二つの平行なスロット（２６）が打ち抜かれ、ディスロケーター（２７）が、各スロット（２６）の長さ方向外側からスロット（２６）内に突出しており、
フレーム（１６）の前側に向いたディスロケーター（２７）は、二つのプレート（１６ａ、１６ｂ）間の内部空間内に下方に反っており、フレームの前側から見ると内部空間から上プレート（１６ａ）の上側まで延びるランプ（２８）を形成している、ことを特徴とするシートベルトバックル（１０）。
【発明の詳細な説明】
【０００１】
【発明の属する技術分野】
本発明は、フレームに摺動自在に取り付けられたラッチ用の解放ボタン及び挿入体タング用の（挿入舌部用の）イジェクターを含むシートベルトバックルに関する。
【０００２】
【従来の技術】
バックルにその質量慣性により長さ方向に大きな加速又は減速が加わったときに解放ボタンが所定位置から移動し（ｓｈｉｆｔ  ｏｕｔ  ｏｆ  ｐｌａｃｅ）、及びかくしてバックルが不時に開放することがないようにするために釣合い重りが設けられたバックルが、ドイツ国特許第ＤＥ２９６  １３  ６９０号から公知である。これにも拘わらず、この種のバックルでは、例えばベルトテンショナによってバックルに大きな加速が加わり、次いでストッパーに当たっていきなり減速した場合、不時に開放する場合がある。ベルトテンショナが解放ボタンに関して所定の隙間があるため、解放ボタンが既に休止位置（換言すれば、停止位置）にあるとき、インパルス（すなわち、衝撃）が加わる。しかしながら、挿入体タングの挿入時にラッチを作動できるようにイジェクター（排出装置）を解放ボタンに機械的に連結する必要があるため、このインパルスはイジェクターを介して解放ボタンに伝わる。しかしながら、インパルスが伝達された時点で、釣合い重りによる慣性の補償はもはや効果的ではない。これは、休止時と同様であるためである。伝達されたインパルスが十分に大きい場合には、解放ボタンが所定位置から移動し、かくしてバックルが開放する危険がある。
【０００３】
【発明が解決しようとする課題】
本発明は、挿入された挿入体タングにより、衝撃（インパルス）が挿入体タングから解放ボタンに伝達されることを確実に阻止するシートベルトバックルを提供する。
【０００４】
【課題を解決するための手段】
かかる課題は、イジェクターと解放ボタンとの間を連結する作用位置と、イジェクターと解放ボタンとの間の連結を断つ休止位置との間で移動自在の少なくとも一つの連結エレメントが設けられており、ディスロケーターがフレーム設けられている、ことを特徴とする上述の種類のバックルによって達成される。ディスロケーターは、イジェクターが所定位置から移動するときに連結エレメントの位置を休止位置から作用位置に位置決めし、挿入体タングが挿入されたときイジェクター及び解放ボタンが機械的に外されるようにする。連結は、必要な場合にしか、即ち挿入体タングを挿入するときにしか行われず、かくして、挿入体タングが挿入されたとき、パルスなどの衝撃が挿入体タングから解放ボタンに伝達されることを確実に阻止する。
【０００５】
本発明の好ましい実施例によれば、連結エレメントは、イジェクターに形成されたシフターを含み、ディスロケーターは、フレームに設けられた傾斜部即ちランプとして形成されており、イジェクターが所定位置から移動したとき、このランプ上でシフターが摺動し、ランプの長さは、イジェクターのシフト移動の終わりにシフターがランプから解放されて落下し、その休止位置に戻るように選択される。従来のバックルと比較すると、この実施例は、追加の構成要素を全く必要としないという利点がある。二つの構成要素、即ちフレーム及びイジェクターの形体を変更するだけでよい。
【０００６】
本発明の一実施例によれば、フレーム１６に摺動自在に取り付けられたラッチ４８用の解放ボタン１８及び挿入体タング１２用のイジェクター３０を含むシートベルトバックルが提供される。バックルには少なくとも一つの連結エレメント４０が設けられており、連結エレメントは、イジェクターと解放ボタンとの間を連結する作用位置とイジェクターと解放ボタンとの間の連結を断つ休止位置との間で移動可能である。バックルは、更に、フレームに設けられたディスロケーター２７を有する。ディスロケーターは、イジェクターが所定位置から移動するとき、連結エレメントの位置を休止位置から作用位置にずらす。
【０００７】
本発明のこの他の利点及び特徴は、以下の好ましい実施例の説明に記載してあり、参照がなされる添付図面から明らかである。
【０００８】
【発明の実施の形態】
次に、図１を参照すると、この図には、本発明によるバックル１０及びこれと適合する挿入体タング（insert tongue：換言すれば、挿入舌状体又は舌状の挿入体）１２が示してある。バックル１０は、ハウジング１４及びフレーム１６を含む。解放ボタン１８が、フレーム１６上でシフト可能に案内される。解放ボタン１８には二つの従動ピン２０が設けられており、これらのピンのうちの一方だけが図面に示してある。バックル１０のハウジング１４の前側（図面の左側）には、挿入体タング１２を挿入できる挿入開口部２２が設けられている。バックルには、強い加速が加わったとき、例えばベルトテンショナ自体がその慣性質量によりフレーム１６に対して作用したとき、解放ボタン１８が所定位置から移動しないようにする装置２４が更に設けられている。この装置２４は、ドイツ国特許第ＤＥ２９６  １３  ６９０号に詳細に記載されている種類の装置である。装置２４の形体及び機能は、本発明を説明する上で関わりがなく、そのため、本願ではこれを詳細に説明しない。
【０００９】
次に図２を参照すると、この図には、実質的に平行な二つのプレート１６ａ、１６ｂを含むフレーム１６が示してある。このフレームは、有利には、金属シートから打ち抜かれ、プレート１６ａ、１６ｂをなす二つの平行なシート金属半部により空間が形成され、前側でＵ字形状ウェブ２５で接合されるように、中央でその長さ方向に対して横方向で上向きに曲げられる。上プレート１６ａでは、二つの平行なスロット２６が打ち抜かれ、キー２７の形体のディスロケーター（ｄｉｓｌｏｃａｔｏｒ：即ち、ずらし装置又は位置変更装置）が各スロットの長さ方向外側からスロット２６内に突出している。フレーム１６の前側に向いたこのキー２７の部分は、二つのプレート１６ａ、１６ｂ間の内部空間内に下方に反っており、フレームの前側から見ると内部空間から上プレート１６ａの上側まで延びる傾斜部即ちランプ２８を形成する。
【００１０】
プレート１６ａ、１６ｂの互いに向き合った表面領域から二つの円筒形突出部２９を打ち抜く。これらの突出部の各々は内部空間内に延びている。この構成では、上プレート１６ａの突出部２９の各々は、下プレート１６ｂの突出部２９と向き合って配置されており、内部空間内でこれと接触している。
【００１１】
次に図３を参照すると、この図には、挿入体タング１２を放出（すなわち、イジェクト）するためにフレーム１６に摺動自在に取り付けられるイジェクター３０が詳細に示してある。イジェクター３０は、一端がウェブ３４で互いに連結された二つの平行なアーム３２を含む。これらのアーム３２の他端には、各場合において、外方に向いたフック３６が形成されている。ウェブ３４の中央には、アーム３２と平行なフィンガ（すなわち、指状部）３８が形成されている。同様に、アーム３２には、アーム３２とフィンガ３８との間に、プッシャ４０の形態の２つの連結エレメント（すなわち、連結素子）が形成されている。各プッシャ４０には、ウェブ３４と実質的に平行に配向（すなわち、方向決め）されたバッファー４２が設けられている。バッファー４２は、スリム部材（すなわち、細い部材）４４によってウェブ３４に連結されている。スリム部材４４は、ほぼアーム３２の方向に配向されており、アーム３２が形成する平面から僅かに傾斜している。プッシャ４０は、そのスリム部材４４が撓むため、休止位置から作用位置まで曲がることができる。作用位置では、バッファー４２は、フレーム１６の上プレート１６ａ間を突出している（図５参照）。イジェクター３０は、フィンガ３８に取り付けられたばね４６によって挿入開口部２２の方向に押圧されており（図１参照）、それによって、挿入体タング１２が挿入されていない場合には、フック３６が突出部２９と接触する。イジェクター３０は、射出成形によるプラスチック部品として安価に製造できる。この場合、プッシャ４０は、追加の費用を全く掛けずに成形できる。
【００１２】
次に、図４及び図５を参照すると、これらの図には、挿入体タング１２を所定位置にラッチ止めするのに役立つ、バックル１０に設けられたラッチ４８が示してある。ラッチ４８は、イジェクター３０の移動方向に対して交差方向に（又は、横断方向に）移動できるように摺動可能に取り付けられており、解放位置とラッチ止め位置（図７参照）との間を移動できるようになっている。ラッチ４８は解放ボタン１８によって解放できる。その結果、ラッチ４８は、挿入された挿入体タング１２の開口部５０と係合するそのラッチ止め位置に移動でき、これによって、挿入体タング１２をバックル１０の所定位置にラッチ止めする。
【００１３】
次に図４乃至図７を参照し、挿入体タング１２が通常の通り挿入される場合のバックル１０の機能を説明する。ラッチ４８は、解放ボタン１８にある第１連結リンク５２（図７参照）によってその解放位置に維持されている。挿入体タング１２は、バックル１０の前側にある挿入開口部２２内に案内される。挿入体タング１２は、その挿入時に、ばね４６からの押圧力に抗してイジェクター３０を後方に、即ち従動ピン２０の方向（図４参照）に押圧する。挿入体タング１２を更に移動すると、プッシャ４０のバッファー４２がランプ２８上で摺動し、その結果、バッファー４２が上方に押圧され、スリム部材４４を作用位置（図５参照）に撓ませる。この結果、バッファー４２が従動ピン２０と接触し、イジェクター３０は、プッシャ４０によって、解放ボタン１８を後方に移動させることができる（図６参照）。このように移動することにより、第１連結リンク５２がラッチ４８を解放し、そのため、ラッチ４８は、挿入体タング１２の開口部５０と係合するラッチ止め位置に移動される。ランプ２８の長さは、解放ボタン１８を従動ピン２０間でラッチ４８を解放するのに十分大きく移動させると直ぐに、バッファー４２が、ランプ２８の後端に至り、かくしてスリム部材４４の可撓性ばね作用によりその休止位置に再度落ちて戻るように寸法が定められている（図７参照）。
【００１４】
次に図８を参照すると、ラッチを解放するためには解放ボタン１８を後方に押圧する必要がある。この構成では、ラッチ４８は、解放ボタン１８にある第２連結リンク５４によってそのラッチ止め位置から解放位置まで移動され、かくして挿入体タング１２を再度解放する。
【００１５】
例えばベルトテンショナの作動時に、挿入体タング１２が挿入してあり且つ所定位置にラッチ止めされている状態で、バックル１０に後方から衝撃荷重が加わると、バックル１０がストッパーに衝突したとき、挿入体タング１２及び解放ボタン１８の両方に大きな加速度が加わる。これらはその質量慣性のため、両方とも、フレーム１６に対して後方に移動しようとする。上文中に説明した装置２４のため、解放ボタン１８がフレーム１６に対して所定位置から移動しないようになっている。しかしながら、挿入体タング１２もまたバックル１０に対して所定の隙間を備えているため、解放ボタン１８が既に休止状態にある場合でも挿入体タングが動く場合がある。しかし、プッシャ４０がその休止位置にあるため、イジェクター３０と従動ピン２０との間の連結が効果的に断たれる。かくして、挿入体タング１２の質量が解放ボタン１８の質量と比較して比較的大きいため、衝撃（インパルス）が大きくなるが、かかる衝撃が発生しても、イジェクター３０による可撓性ジョルト（flexible jolt）により、すなわち、イジェクター３０の可撓性による揺動運動による遮断により、衝撃が、挿入体タング１２から解放ボタン１８に伝わるのを防止することができる。
【００１６】
プッシャ４０は、バッファー４２がランプ２８の下でその前端に移動するまで、作用位置に戻ることができない。しかしながら、プッシャ４０の長さ及びフレーム１６に設けられたランプ２８の位置は、イジェクター３０が挿入体タング１２を挿入開口部２２の方向に移動させることができるように（図８参照）解放ボタン１８を押すことによってラッチ４８を開口部５０から外した場合にだけこれが可能であるように選択される。
【図面の簡単な説明】
【図１】図１は、本発明の好ましい実施例による挿入体タングを含むバックルの断面図である。
【図２】図２は、図１に示すバックルの第１構成要素の斜視図である。
【図３】図３は、図１に示すバックルの第２構成要素の斜視図である。
【図４】図４は、図１に示すバックルの詳細を、挿入体タングを挿入する順次工程で示す拡大断面図である。
【図５】図５は、図１に示すバックルの詳細を、挿入体タングを挿入する順次工程で示す拡大断面図である。
【図６】図６は、図１に示すバックルの詳細を、挿入体タングを挿入する順次工程で示す拡大断面図である。
【図７】図７は、図１に示すバックルの詳細を、挿入体タングを挿入する順次工程で示す拡大断面図である。
【図８】図８は、図１に示すバックルの詳細を、挿入体タングの解放工程で示す拡大断面図である。
【符号の説明】
１０  バックル
１２  挿入体タング
１４  ハウジング
１６  フレーム
１８  解放ボタン
２７  ディスロケーター
３０  イジェクター
４０  プッシャ
４２  バッファー
【図１】
0004695266.tif 000002
【図２】
0004695266.tif 000003
【図３】
0004695266.tif 000004
【図４】
0004695266.tif 000005
【図５】
0004695266.tif 000006
【図６】
0004695266.tif 000007
【図７】
0004695266.tif 000008
【図８】
0004695266.tif 000009